【手続補正書】
【提出日】平成24年5月22日(2012.5.22)
【手続補正１】
【補正対象書類名】特許請求の範囲
【補正対象項目名】全文
【補正方法】変更
【補正の内容】
【特許請求の範囲】
【請求項１】
成型対象となる製品の表面の一部に対応する３次元形状に形成された第１成型部を有する第１金型と、
前記製品の表面の他の一部に対応する３次元形状に形成された第２成型部を有して前記第１金型に対向配置される第２金型とを備え、
前記第１成型部と前記第２成型部との間に被成型材料を配置して前記製品を成型する成型装置において、
前記第１金型および前記第２金型のうちの少なくとも一方に高周波電流を流すための金型通電手段を備え、
前記第１金型および／または前記第２金型は、
前記通電される前記第１成型部および／または前記第２成型部の肉厚が同第１成型部および／または第２成型部の周囲に形成されて同第１成型部および／または同第２成型部を支持する外周部の肉厚より薄肉に形成されていることを特徴とする成型装置。
【請求項２】
請求項１に記載した成型装置において、
前記第１金型および／または前記第２金型は、
前記薄肉に形成された前記第１成型部および／または前記第２成型部の裏側に前記第１成型部および／または前記第２成型部に沿って空洞部が形成されていることを特徴とする成型装置。
【請求項３】
請求項２に記載した成型装置において、さらに、
前記空洞部に、前記第１成型部および／または前記第２成型部に対して冷却用流体を供給する冷却流体供給手段を設けたことを特徴とする成型装置。
【請求項４】
請求項２または請求項３に記載した成型装置において、さらに、
前記空洞部に、前記第１成型部および／または前記第２成型部を支えるリブを設けたことを特徴とする成型装置。
【請求項５】
請求項２ないし請求項４のうちのいずれか１つに記載した成型装置において、さらに、
前記空洞部に、前記第１成型部および／または前記第２成型部の温度を測定するための温度測定センサを設けたことを特徴とする成型装置。
【請求項６】
請求項１ないし請求項５のうちのいずれか１つに記載した成型装置において、
前記金型通電手段は、
前記第１金型と前記第２金型とを電気的に接続および切断する電気接続部を備えることを特徴とする成型装置。
【請求項７】
請求項１ないし請求項６のうちのいずれか１つに記載した成型装置において、
前記第１金型と前記第２金型との間における前記外周部に絶縁体を設けたことを特徴とする成型装置。
【請求項８】
請求項１ないし請求項７のうちのいずれか１つに記載した成型装置において、
前記第１成型部と前記第２成型部との間に配置する前記被成型材料は、シート状または板状の熱可塑性樹脂を含むことを特徴とする成型装置。
【請求項９】
成型対象となる製品の表面の一部に対応する３次元形状に形成された第１成型部を有する第１金型と、
前記製品の表面の他の一部に対応する３次元形状に形成された第２成型部を有して前記第１金型に対向配置される第２金型とを備え、
前記第１成型部と前記第２成型部との間に被成型材料を配置して前記製品を成型する成型方法において、
前記第１成型部および前記第２成型部のうちの少なくとも一方の肉厚を同第１成型部および／または第２成型部の周囲に形成されて同第１成型部および／または同第２成型部を支持する外周部の肉厚より薄肉に形成しておき、
前記薄肉に形成した前記第１成型部および／または前記第２成型部が形成された前記第１金型および／または前記第２金型に高周波電流を流すことにより前記第１成型部および／または前記第２成型部を加熱し、
前記加熱された前記第１成型部および／または前記第２成型部によって前記被成型素材を前記製品に成型することを特徴とする成型方法。
【請求項１０】
請求項９に記載した成型方法において、
前記第１金型および／または前記第２金型における前記第１成型部および／または前記第２成型部の裏側に、前記第１成型部および／または前記第２成型部に沿って空洞部を形成しておくとともに、同空洞部に対向して前記第１成型部および／または前記第２成型部に対して冷却用流体を供給する冷却流体供給手段を設けておき、
前記被成型材料の成型後に、前記冷却流体供給手段から前記冷却用流体を前記第１成型部および／または前記第２成型部に対して供給して前記第１成型部および／または前記第２成型部を冷却することを特徴とする成型方法。
【請求項１１】
請求項９または請求項１０に記載した成型方法において、
前記第１成型部と前記第２成型部との間に配置する前記被成型材料は、シート状または板状の熱可塑性樹脂を含むことを特徴とする成型方法。
【手続補正２】
【補正対象書類名】明細書
【補正対象項目名】０００７
【補正方法】変更
【補正の内容】
【０００７】
上記目的を達成するため、請求項１に係る本発明の特徴は、成型対象となる製品の表面の一部に対応する３次元形状に形成された第１成型部を有する第１金型と、製品の表面の他の一部に対応する３次元形状に形成された第２成型部を有して第１金型に対向配置される第２金型とを備え、第１成型部と第２成型部との間に被成型材料を配置して製品を成型する成型装置において、第１金型および第２金型のうちの少なくとも一方に高周波電流を流すための金型通電手段を備え、第１金型および／または第２金型は、前記通電される第１成型部および／または第２成型部の肉厚が同第１成型部および／または第２成型部の周囲に形成されて同第１成型部および／または同第２成型部を支持する外周部の肉厚より薄肉に形成されていることにある。
【手続補正３】
【補正対象書類名】明細書
【補正対象項目名】０００８
【補正方法】変更
【補正の内容】
【０００８】
このように構成した請求項１に係る本発明の特徴によれば、成型装置は、製品の表面を形成するための第１成型部および第２成型部の少なくとも一方の第１金型および／または第２金型に対して高周波電流を通電する金型通電手段を備えている。そして、金型通電手段によって通電される第１成型部および／または第２成型部の肉厚は、同第１成型部および第２成型部の周囲に形成された金型外周部の肉厚より薄肉に形成されている。すなわち、加熱対象部分である第１成型部および／または第２成型部の断面積が小さくなるとともに同部分の抵抗値が大きくなる。このため、第１金型および／または第２金型に高周波電流を通電した場合においては、第１成型部および／または第２成型部が金型外周部と一様な肉厚で形成されている場合に比べて、少ない電力量で早期に加熱することができる。また、第１金型および／または第２金型に高周波電流を流した際の表皮効果により、第１成型部および／または第２成型部における表面部に電流が集中するため、第１成型部および／または第２成型部を早期かつ効率的に加熱することができる。また、この場合、エッジ効果により、第１金型および／または第２金型における凸部に電流が偏って流れるため、第１成型部および／または第２成型部における凸部を他の部分よりも加熱することができる。また、この場合、第１成型部および／または第２成型部は、従来技術における導電層や絶縁層が不要なため金型の製作およびメンテナンス工数が低減される。すなわち、本発明に係る成型装置においては、金型における成型部の耐久性を確保しつつ簡単な構成で加熱することができる。
【手続補正４】
【補正対象書類名】明細書
【補正対象項目名】００１９
【補正方法】変更
【補正の内容】
【００１９】
また、請求項７に係る本発明の他の特徴は、前記成型装置において、第１金型と第２金型との間における外周部に絶縁体を設けたことにある。このように構成した請求項７に係る本発明の他の特徴によれば、成型装置は、第１金型と第２金型との間における外周部に絶縁体が設けられている。このため、第１金型と第２金型とを密着させた閉じた状態で通電させることができる。これにより、第１金型および第２金型のうちの一方に通電して加熱することにより、他方の第２金型または第１金型を熱伝導により加熱することができる。また、第１金型と第２金型とを閉じた状態で加熱できるため、第１成型部および第２成型部からに熱の発散を防止して効率的に加熱することができる。さらには、第１金型と第２金型とを閉じた状態で加熱できるため、被成型材料の成型加工中においても第１成型部および第２成型部を加熱することができ、成型加工精度を向上させることができる。
【手続補正５】
【補正対象書類名】明細書
【補正対象項目名】００２０
【補正方法】変更
【補正の内容】
【００２０】
また、請求項８に係る本発明の他の特徴は、前記成型装置において、第１成型部と第２成型部との間に配置する被成型材料は、シート状または板状の熱可塑性樹脂を含むことにある。このように構成した請求項８に係る本発明の他の特徴によれば、成型装置は、被成型材料の成型加工工程において第１金型および／または第２金型に通電して被成型材料を加熱できるため、熱可塑性樹脂の流動性を確保し易く従来の熱硬化性樹脂の他に熱可塑性樹脂によるＦＲＰを容易かつ短時間（短サイクルタイム）で製造することができる。

【手続補正６】
【補正対象書類名】明細書
【補正対象項目名】００２２
【補正方法】変更
【補正の内容】
【００２２】
具体的には、請求項９に係る本発明の特徴は、成型対象となる製品の表面の一部に対応する３次元形状に形成された第１成型部を有する第１金型と、製品の表面の他の一部に対応する３次元形状に形成された第２成型部を有して第１金型に対向配置される第２金型とを備え、第１成型部と第２成型部との間に被成型材料を配置して製品を成型する成型方法において、第１成型部および第２成型部のうちの少なくとも一方の肉厚を同第１成型部および／または第２成型部の周囲に形成されて同第１成型部および／または同第２成型部を支持する外周部の肉厚より薄肉に形成しておき、前記薄肉に形成した第１成型部および／または第２成型部が形成された第１金型および／または第２金型に高周波電流を流すことにより第１成型部および／または第２成型部を加熱し、前記加熱された第１成型部および／または第２成型部によって被成型素材を製品に成型することにある。

【手続補正７】
【補正対象書類名】明細書
【補正対象項目名】００２３
【補正方法】変更
【補正の内容】
【００２３】
また、この場合、請求項１０に示すように、前記成型方法において、第１金型および／または第２金型における第１成型部および／または第２成型部の裏側に、第１成型部および／または第２成型部に沿って空洞部を形成しておくとともに、同空洞部に対向して第１成型部および／または第２成型部に対して冷却用流体を供給する冷却流体供給手段を設けておき、被成型材料の成型後に、冷却流体供給手段から冷却用流体を第１成型部および／または第２成型部に対して供給して第１成型部および／または第２成型部を冷却するようにするとよい。また、この場合、請求項１１に示すように、前記成型方法において、第１成型部と第２成型部との間に配置する被成型材料は、シート状または板状の熱可塑性樹脂を含むようにするとよい。

【手続補正８】
【補正対象書類名】明細書
【補正対象項目名】００２４
【補正方法】変更
【補正の内容】
【００２４】
このように構成した請求項９ないし請求項１１に係る本発明の特徴によれば、前記成型装置と同様の作用効果を得ることができる。